(57)【特許請求の範囲】
【請求項１】
記憶媒体に記録された画像ファイルを再生する画像再生装置であって、
前記記憶媒体から画像ファイルを取得する取得手段と、
前記画像ファイルに対して所定の画像表示処理を実行する処理手段と、
ユーザの操作を受け付ける操作部を有し、前記操作部に対応した操作信号を前記画像再生装置に送出する操作手段と、
前記取得手段により取得した画像ファイルが、文書ファイルに基づく画像ファイルである文書画像ファイルか否かを判定する判定手段と、
前記操作部と前記画像表示処理の種類との割り当てを設定する割り当て手段と、を有し、
前記割り当て手段は、前記判定手段による判定の結果に応じて、前記操作部と前記画像表示処理の種類との割り当てを変更することを特徴とする画像再生装置。
【請求項２】
前記文書画像ファイルは、複数のページからなる文書ファイルを１ページずつ画像ファイルとして変換することにより生成されることを特徴とする請求項１に記載の画像再生装置。
【請求項３】
前記判定手段は、前記画像ファイルから属性情報を取得し、取得した属性情報を用いて画像ファイルを判定することを特徴とする請求項１又は２に記載の画像再生装置。
【請求項４】
前記画像ファイルは、前記文書画像ファイルと写真画像ファイルとを含み、
前記記憶媒体には、前記文書画像ファイルと前記写真画像ファイルとが混在して記録されていることを特徴とする請求項１乃至３のいずれか１項に記載の画像再生装置。
【請求項５】
前記操作手段は、前記画像再生装置を遠隔から操作できるリモートコントローラであり、
前記処理手段は、前記リモートコントローラから受信した操作信号に対応する画像表示処理を実行することを特徴とする請求項１乃至４のいずれか１項に記載の画像再生装置。
【請求項６】
前記割り当て手段により割り当てられた前記操作部と前記画像表示処理の種類との関係を、前記画像ファイルとともに表示する表示手段を更に有することを特徴とする請求項１乃至５のいずれか１項に記載の画像再生装置。
【請求項７】
前記操作部は上下キー及び左右キーを含むとともに、前記所定の画像表示処理は前記画像ファイルに対する画像送り処理を含み、
前記判定手段により、前記取得手段により取得した画像ファイルが前記文書画像ファイルであると判定された場合、前記割り当て手段は上下キーを前記画像送り処理に割り当てるよう設定し、
前記判定手段により、前記取得手段により取得した画像ファイルが前記写真画像ファイルであると判定された場合、前記割り当て手段は左右キーを前記画像送り処理に割り当てるよう設定することを特徴とする請求項１乃至６のいずれか１項に記載の画像再生装置。
【請求項８】
記憶媒体に記録された画像ファイルを再生する再生手段と、前記画像ファイルに対して所定の画像表示処理を実行する処理手段と、ユーザの操作を受け付ける操作部を有し、前記操作部に対応した操作信号を装置に送出する操作手段と、を有する画像再生装置の制御方法であって、
前記記憶媒体から画像ファイルを取得する取得工程と、
前記取得工程により取得した画像ファイルが、文書ファイルに基づく画像ファイルである文書画像ファイルか否かを判定する判定工程と、
前記操作部と前記画像表示処理の種類との割り当てを設定する割り当て工程と、を有し、
前記割り当て工程では、前記判定工程による判定の結果に応じて、前記操作部と前記画像表示処理の種類との割り当てを変更することを特徴とする制御方法。
【請求項９】
請求項８に記載の制御方法を画像再生装置のコンピュータに実行させるためのプログラム。
【発明の詳細な説明】
【技術分野】
【０００１】
本発明は、異なる属性を持つ画像ファイルを再生する画像再生技術に関する。
【背景技術】
【０００２】
液晶パネルに光源を透過若しくは反射させ、レンズを介してスクリーン上に画像データを表示する液晶プロジェクタがある。液晶プロジェクタは、ビデオカメラ等からの映像信号や、ＰＣ（パーソナルコンピュータ）のＶＥＳＡ規格の映像信号を入力し、画像処理を行って大型スクリーンに投射させ、映画やホームビデオの鑑賞、プレゼンテーションを行う際に利用されている。
【０００３】
更に、液晶プロジェクタでプレゼンテーションを実現するためには、ＰＣ等の必要な機材が多くなるので、予めドキュメント作成アプリケーションを用いて文章データを作成しておく。そして、文章データをデータ変換ツールによりＪＰＥＧ画像ファイルに変換した上で、ＵＳＢメモリ等の記録メディアに記録しておく。プレゼンテーションの際には、ＵＳＢメモリを液晶プロジェクタに装着し、ＵＳＢメモリからＪＰＥＧ画像ファイルを読み出して再生する。
【０００４】
また、現在ではデジタルカメラ等の撮像装置で撮影した撮影画像データの多くはＪＰＥＧ形式で記録メディアに記録されており、液晶プロジェクタでＪＰＥＧ画像ファイルを読み出し再生することで、撮影画像データを鑑賞して楽しむこともできる。
【０００５】
液晶プロジェクタの操作は、主に装置に付属されたリモートコントローラが使用されるが、リモートコントローラの操作系は、上述したプレゼンテーション又は写真等のＪＰＥＧ画像ファイルの種別に応じて操作できるようには構成されていない。特に、画像送りや画像の回転、拡大、縮小等はメニュー画面上で操作を行うか、リモートコントローラに専用のボタンを割り当てて操作を行っている。
【０００６】
一方で、特許文献１のように画像ファイルの属性に応じて複数の画像処理が選択可能に表示され、いずれか選択した画像処理を実行する技術が開示されている。
【特許文献１】特開平８−２６３６３４号公報
【発明の開示】
【発明が解決しようとする課題】
【０００７】
しかしながら、ＪＰＥＧ画像ファイルを再生できる液晶プロジェクタにおいて、プレゼンテーション用画像ファイルと観賞用の写真画像ファイルとは再生する際の操作内容が異なっている。例えば、プレゼンテーションではページを送る操作やポインターを用いた操作が主であり、写真画像では画像の回転処理や拡大縮小と画像送り操作が主である。即ち、プレゼンテーションでは画像の回転や拡大・縮小を行うことが少ない。
【０００８】
ここで、特許文献１のように画像ファイルの属性に応じて複数の画像処理をＵＩ画面上で選択的に操作するようにすると、ユーザが常にＵＩ画面を表示させ操作を行うのでは操作に手間がかかり、操作性が低下する。
【課題を解決するための手段】
【０００９】
上記課題を解決するために、本発明に係る画像再生装置は、記憶媒体に記録された画像ファイルを再生する画像再生装置であって、前記記憶媒体から画像ファイルを取得する取得手段と、前記画像ファイルに対して所定の画像表示処理を実行する処理手段と、ユーザの操作を受け付ける操作部を有し、前記操作部に対応した操作信号を前記画像再生装置に送出する操作手段と、前記取得手段により取得した画像ファイルが、文書ファイルに基づく画像ファイルである文書画像ファイルか否かを判定する判定手段と、前記操作部と前記画像表示処理の種類との割り当てを設定する割り当て手段と、を有し、前記割り当て手段は、前記判定手段による判定の結果に応じて、前記操作部と前記画像表示処理の種類との割り当てを変更する。
【００１０】
また、本発明に係る画像再生装置の制御方法は、記憶媒体に記録された画像ファイルを再生する再生手段と、前記画像ファイルに対して所定の画像表示処理を実行する処理手段と、ユーザの操作を受け付ける操作部を有し、前記操作部に対応した操作信号を装置に送出する操作手段と、を有する画像再生装置の制御方法であって、前記記憶媒体から画像ファイルを取得する取得工程と、前記取得工程により取得した画像ファイルが、文書ファイルに基づく画像ファイルである文書画像ファイルか否かを判定する判定工程と、前記操作部と前記画像表示処理の種類との割り当てを設定する割り当て工程と、を有し、前記割り当て工程では、前記判定工程による判定の結果に応じて、前記操作部と前記画像表示処理の種類との割り当てを変更する。
【発明の効果】
【００１１】
本発明によれば、画像データの種類に応じた処理をリモコンのボタンに割り当てることができるので、ユーザは画像データの種類に応じた操作を容易に行うことができる。
【発明を実施するための最良の形態】
【００１２】
以下に、添付図面を参照して本発明を実施するための最良の形態について詳細に説明する。
【００１３】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１４】
図１は、本発明に係る実施形態の画像再生装置の構成を示す図である。
【００１５】
図１において、１００は液晶プロジェクタである。１１８は液晶プロジェクタ１００の投射レンズであり、スクリーン１１９に投射を行い、スクリーン１１９に画像やＵＩ（ユーザインタフェース）画面を表示する。投射レンズ１１８は複数枚のレンズから構成され、光学ズーム／フォーカス調整等を行うことが可能である。
【００１６】
１０６は外部機器とＵＳＢ接続するためのＵＳＢ Ｉ／Ｆである。２００はＵＳＢメモリであり、液晶プロジェクタ１００はＵＳＢ Ｉ／Ｆ１０６を介してＵＳＢメモリ２００とＵＳＢ接続が可能となる。４００はリモートコントローラ（以下、リモコン）であり、液晶プロジェクタ１００はリモコン受光部１２０を介して、リモコン４００の操作を赤外線信号として受信可能である。なお、本実施形態で構築するシステムの通信媒体は、有線・無線のＬＡＮやＢｌｕｅｔｏｏｔｈ（登録商標）等でもよく、ここで例示するシステムの形態に限定されるものではない。
【００１７】
本実施形態では、ＵＳＢメモリ２００はマスストレージクラスをサポートし、液晶プロジェクタ１００はＵＳＢ Ｉ／Ｆ１０６を介してマスストレージクラス及びＰｉｃｔＢｒｉｄｇｅをサポートするものとする。液晶プロジェクタ１００にＵＳＢメモリ２００やデジタルカメラを接続した際、マスストレージのプロトコルで通信を開始する。これにより、液晶プロジェクタ１００はＵＳＢメモリ２００やデジタルカメラに記録されているデータを読み出し可能である。
【００１８】
なお、本実施形態では外部ストレージとしてＵＳＢメモリを適用しているが、本発明は外部ストレージをＵＳＢメモリに限定するものではなく、例えば、カードリーダ等の画像データ保持機能を持つデバイスでも実現可能である。
【００１９】
また、ＵＳＢメモリ２００をマスストレージクラスデバイスとして認識しているが、本発明は外部ストレージを認識する方式を、これに限定するものではない。
【００２０】
また、本発明は上記のプロトコルに限定されるものではなく、例えば、液晶プロジェクタ１００はＰＴＰプロトコルをサポートしても構わない。
【００２１】
また、本発明は液晶プロジェクタ１００に限定されるものではなく、例えばＰＣやテレビジョンの表示デバイスによっても実現可能である。
【００２２】
ＵＳＢメモリ２００には、デジタルカメラ等によって撮影された画像ファイル（以下、写真画像ファイル）と、ドキュメント作成アプリケーションで作成した文章ファイルを１ページずつ変換した画像ファイル（以下、文書画像ファイル）とが記録されている。本実施形態でいうドキュメント作成アプリケーションで作成した文章ファイルとは、例えばワープロソフト、表計算ソフト、プレゼンテーション作成ソフトなどで作成したファイルが含まれる。
【００２３】
ここで、写真画像ファイルを構成するデータ群を写真画像データ、文書画像ファイルを構成するデータ群を文書画像データと定義する。本実施形態では、上記写真画像ファイルとそれ以外の文書画像ファイルは同様の拡張子（例えば．ＪＰＧ拡張子）を持つものとする。
【００２４】
ユーザはＰＣ等の個人端末において、専用のアプリケーションを使用し、文章ファイルを文書画像ファイルへ変換することが可能である。例えば、マイクロソフト社製のＭｉｃｒｏｓｏｆｔ  Ｏｆｆｉｃｅ  ＰｏｗｅｒＰｏｉｎｔ（登録商標）の場合について説明する。この場合、複数のスライドからなる１つのプレゼンテーション用の文章ファイルを、いわゆるスライドごとの画像ファイル（例えば、ＪＰＥＧファイル交換形式）に変換することが可能である。つまりスライド１０枚で構成された１つのプレゼンテーションファイルを、１０個のＪＰＥＧファイルに変換することが可能である。
【００２５】
上記のように作成された文書画像ファイルの特徴は、予定された再生順序、つまり元の文章ファイルのスライドやページの順番で再生し、最後のページに到達して完結する場合が多いことである。
【００２６】
また、本実施形態では、ユーザはリモコン４００を使用し、液晶プロジェクタ１００によりスクリーン１１９に投射されたＵＩ画面を遠隔から操作できる。本発明では、リモコン４００による操作のみに限定されるものではなく、ユーザが液晶プロジェクタ１００の操作部１０３を操作することによっても実現可能である。
【００２７】
図２は、本発明に係る実施形態の液晶プロジェクタの構成を示すブロック図である。
【００２８】
図２において、１０９は液晶プロジェクタ１００全体を制御するシステム制御回路であり、各部からの入力信号やプログラムに基づき、各部を制御する。１０１はシステム制御回路１０９の動作用の定数、変数、画像等を一時的に記憶するメモリである。１０２はシステム制御回路１０９のファームウェアプログラム等を記録した電気的に消去・記録可能な不揮発性メモリである。１０３はシステム制御回路１０９の各種の動作指示を入力するための操作部であり、スイッチやダイアル、タッチパネル、視線検知によるポインティング、音声認識装置等の単数或いは複数の組み合わせで構成される。
【００２９】
１２０はシステム制御回路１０９の各種の動作指示を入力するためのリモコン受光部であり、液晶プロジェクタ１００に付属するリモコン４００からのキーイベント（操作信号）を受信することが可能である。
【００３０】
１０４は電源制御部であり、ＤＣ−ＤＣコンバータ、通電するブロックを切り替えるスイッチ回路等により構成されている。電源制御部１０４は、ＡＣアダプタの検出を行い、検出結果及びシステム制御回路１０９の指示に基づいてＤＣ−ＤＣコンバータを制御し、必要な電圧を必要な期間、ファンを含む各部へ供給する。１０５はＡＣアダプタ等からなる電源部である。
【００３１】
１０７は外部機器とネットワーク接続するためのＥｔｈｅｒｎｅｔ（登録商標） Ｉ／Ｆ（インターフェース）である。液晶プロジェクタ１００の故障等の状態を、液晶プロジェクタ１００を集中管理するシステムに通知することができる。１０６はデジタルカメラ、ＵＳＢメモリ等とＵＳＢ接続するためのＵＳＢ Ｉ／Ｆである。１０８は画像処理部であり、デジタルカメラ、ＵＳＢメモリ等から読み出したＪＰＥＧ画像の表示位置の設定処理や、ファイル名・日付・Ｅｘｉｆ等の情報をオーバーレイする処理を行う。また、処理した画像データを赤（Ｒ）／緑（Ｇ）／青（Ｂ）の３種の色信号からなるＲＧＢ信号にデジタル変換する。
【００３２】
１１１はプロジェクタ映像信号処理回路であり、デジタル化されたＲＧＢ信号を液晶プロジェクタ１００に適した表示信号に変換する信号処理を行う。ここでの信号処理としては、例えば、インターレースプログレッシブ変換処理、フレームレート変換処理、解像度変換処理等が挙げられる。１１０はフレームメモリであり、プロジェクタ映像信号処理回路１１１でプロジェクタに適した表示信号に変換する際の信号処理に使用され、１フレーム以上のＲＧＢ信号を保持することが可能である。１１２は信号レベル調整回路であり、プロジェクタ映像信号処理回路１１１からの出力を液晶プロジェクタの投影する投影画像に適するような信号レベルとするための調整を行う。１１３は液晶ドライバであり、信号レベル調整回路１１２の出力信号に基づいて液晶パネル１１７を駆動する。
【００３３】
１１６はランプであり、スクリーン１１９に投影画像を映し出すための光源である。１１４はランプ１１６に電力を供給する電源部、１１５はランプ駆動回路（バラスト）であり、電源１１４から供給される電力からランプ１１６に供給するための安定した高電圧を発生させる。液晶パネル１１７には、Ｒ／Ｇ／Ｂの各カラーフィルタが接合されており、ランプ１１６により投射された光をＲＧＢの各フィルタに対応して光の透過・遮断を行う。投射レンズ１１８は液晶パネル１１７を通過したＲＧＢの各色画像をスクリーン１１９へ結像させるとともに、投影画像の大きさを変化させる。スクリーン１１９は投影画像を結像させる投影面を提供する。
【００３４】
図３は液晶プロジェクタのリモコンの構成を示す図である。
【００３５】
３０１は赤外光線を点滅させる発光部を備える送信部である。３０２は後述する各種操ボタンからなる操作部である。３０３は操作部３０２から操作情報を取得してキーイベントとして送信部３０１から赤外光線を点滅させる中央制御部である。３０４は中央制御部３０３と操作部３０２及び送信部３０１との間で操作情報の受信やキーイベント送信命令の送信を行うためのバスである。
【００３６】
図４は液晶プロジェクタのリモコンの外観図である。
【００３７】
リモコン４００は、リモコン発光部（不図示）、ＰＯＷＥＲボタン４０１、上下左右の方向ボタン４０５〜４０８、ＯＫボタン４１１、フォーカスボタン４０３、ズームボタン４０４、キーストーンボタン４０９、メニューボタン４１０を備える。
【００３８】
リモコン発光部（不図示）は、リモコン４００のキーイベントを液晶プロジェクタに送出する。ＰＯＷＥＲボタン４０１は、電源の入／切を行う。フォーカスボタン４０３、ズームボタン４０４、キーストーンボタン４０９は、それぞれフォーカス、ズーム、キーストーンの調整を行うためのボタンである。例えば、フォーカスの調整を行う場合には、フォーカスボタン４０３を押し、方向ボタン４０５，４０８を操作して調整を行う。その他の設定や情報の表示は、メニューボタン４１０を押し、方向ボタン４０５〜４０８とＯＫボタン４１１を操作して行うことが可能である。方向ボタン４０５〜４０８はメニュー画面等で上下左右の方向を指定する。ＯＫボタン４１１はメニュー画面等で選択した所定の項目を確定する。リモコン４００が操作されると操作されたボタンに応じたキーイベントが液晶プロジェクタ１００に送出される。
【００３９】
図５は液晶プロジェクタにＵＳＢメモリを装着した場合の液晶プロジェクタの動作を示すフローチャートである。
【００４０】
図５において、液晶プロジェクタ１００は、ＵＳＢデバイスの接続を検知すると（Ｓ５０１）、ＵＳＢポートにリセット信号を出力し（Ｓ５０２）、コンフィグレーションを実行する（Ｓ５０３）。コンフィグレーションの際、挿入されたＵＳＢメモリ２００がマスストレージクラス（ＭＳＣ）をサポートしているかを問い合わせ、判定する（Ｓ５０４）。具体的には、液晶プロジェクタ１００がＵＳＢメモリ２００のインターフェースディスクリプタ取得する際に、ＵＳＢメモリ２００がマスストレージクラスをサポートしているかを判定することが可能である。
【００４１】
ＵＳＢメモリ２００がマスストレージクラスをサポートしていない場合（Ｓ５０４／ＮＯ）、ＵＳＢメモリ２００がサポートしているクラスに対応する処理を行う必要がある（Ｓ５０９）。液晶プロジェクタ１００が取得したクラスをサポートしていない場合、スクリーン１１９にサポートしないデバイスが接続されたことをユーザに通知する画面を投射することも可能である。
【００４２】
ＵＳＢメモリ２００がマスストレージクラスをサポートしている場合（Ｓ５０４／ＹＥＳ）、液晶プロジェクタ１００はブロックデバイスのマウント処理を開始する（Ｓ５０５）。
【００４３】
その後、液晶プロジェクタ１００はファイルオープン処理を行い（Ｓ５０６）、ＵＳＢメモリ２００のフラッシュメモリ２０４に記録されているディレクトリ構成とディレクトリ名の取得を行う（Ｓ５０７）。これらの処理においてエラーが発生した場合には、エラー画面を投影することも可能である。
【００４４】
本実施形態では、ユーザが操作を行うカレントディレクトリのみの取得を行うものとするが、本発明はカレントディレクトリの取得に限定されるものではなく、全てのディレクトリ構成の取得を行っても構わない。最後に、液晶プロジェクタ１００は上記Ｓ５０７で得られたディレクトリ名をスクリーン１１９に投射する（Ｓ５０８）。
【００４５】
図６は図５のＳ５０５における液晶プロジェクタのブロックデバイスのマウント処理を示したフローチャートである。
【００４６】
図６において、液晶プロジェクタ１００は、液晶プロジェクタ１００は、メディア能力の取得を行う（Ｓ６０１）。ここでは、例えば、ＵＳＢメモリ２００の論理ブロック数及びブロック長の取得を行う。最後にブロックデバイス管理領域の作成を行う（Ｓ６０２）。
【００４７】
図７は本実施形態のＵＳＢメモリに記録された画像ファイルのディレクトリ構成を例示している。ここで、ＳＬＤ＿で開始されるファイル名を持つファイルは、文書画像ファイルを表し、ＩＭＧ＿で開始されるファイル名を持つファイルは、写真画像ファイルを表すものとする。
【００４８】
７００はディレクトリとファイルをツリー構造で管理するための一番上位のルートディレクトリである。７１０，７２０，７３０はルートディレクトリ７００から直接走査探索できるディレクトリであり、それぞれディレクトリ名、”Ｆ００００”、”Ｆ１０００”、”Ｆ２０００”である。７４０はディレクトリ７３０の下位にあるディレクトリであり、ディレクトリ名”Ｆ２１００”である。７１１，７２１，７３１，７４１はディレクトリ７１０，７２０，７３０，７４０にそれぞれ格納されている画像ファイル群である。
【００４９】
［液晶プロジェクタのＵＩ画面とファイル操作］
次に、図７で例示したディレクトリ構造を持つＵＳＢメモリ２００が液晶プロジェクタ１００のＵＳＢ Ｉ／Ｆ１０６に接続され、図５のＳ５０７により一覧表示を行った場合のファイル操作モードについて説明する。
【００５０】
図８は、図５のＳ５０７において表示されるＵＩ画面を例示している。
【００５１】
図８において、８００はＵＳＢメモリ２００が接続された後、図５のＳ５０７での処理により表示される、ＵＳＢメモリ２００に記録されているディレクトリ及びファイルの選択操作を行うためのファイル一覧画面である。８０１はディレクトリ名及びファイル名を一覧表示する一覧表示欄である。図８の一覧表示欄８０１には、図７のルートディレクトリ７００にあるディレクトリ７１０，７２０，７３０の各ディレクトリ名Ｆ００００、Ｆ１０００、Ｆ２０００が一覧表示され、Ｆ００００のディレクトリ７１０が選択状態で表示されている。８０３は一覧表示欄８０１で選択されているファイルのサムネイルを表示するためのサムネイル表示欄であり、８０４は同様に選択されているファイル名の属性情報を表示するための属性表示欄である。８０２は上位のディレクトリに戻るためのディレクトリ戻りアイコンである。一覧表示欄８０１は、リモコン４００の上下方向ボタンを押下することによってディレクトリとディレクトリ戻りアイコン８０２の選択状態がサイクリックに切り替わる。
【００５２】
次に、８０１のディレクトリＦ００００が選択されている状態で、リモコン４００のＯＫボタン４１１を押下すると、そのディレクトリＦ００００のディレクトリ名及びファイル名を取得してディレクトリ名とファイル名の一覧表示を行う（８００ａ）。一覧表示欄８０１ａには図７で述べたディレクトリ７１０のディレクトリ名と画像ファイル群７１１のファイル名が一覧表示され、ディレクトリ７１０のディレクトリ名Ｆ００００が選択された状態となっている。８０１ａにおいてもリモコン４００の上下方向ボタンを押下することによってディレクトリ名、ファイル名とディレクトリ戻りアイコン８０２ａの選択状態がサイクリックに切り替わる。８００ａの状態から下方向ボタンが押下されると、８００ｂのファイル名が選択された状態となる。一覧表示欄８０１ｂにはファイル名”ＳＬＤ＿０００１．ＪＰＥＧ”が選択状態で表示されている。一覧表示欄８０１ｂで選択されたファイルが画像ファイルである場合には、画像データの取得を行い、画像データの伸張処理、伸張した画像データのリサイズ処理を行った後にサムネイル表示欄８０３に表示する。８０３ｂでは８０１ｂで選択されている画像ファイル”ＳＬＤ＿０００１．ＪＰＥＧ”がサムネイル表示されている。また、８０４ｃには８０１ｂで選択されている画像ファイル”ＳＬＤ＿０００１．ＪＰＥＧ”のファイル名、作成日等の属性が表示されている。
【００５３】
８００ａ及び８００ｂの表示状態でディレクトリ戻りアイコン８０２を選択し、リモコン４００のＯＫボタン４１１を押下すると８００の状態（上位のディレクトリ）に戻る。
【００５４】
図９は図８の一覧表示欄８０１にて画像ファイルが選択された状態で、ユーザがリモコン４００の下方向ボタン４０８を押下した場合のサムネイル表示欄への表示処理を示すフローチャートである。
【００５５】
図９において、液晶プロジェクタ１００は、ＵＳＢメモリ２００から選択された画像ファイルの取得を行う（Ｓ９０１）。液晶プロジェクタ１００は、取得した画像ファイルをメモリ１０１に保持する。液晶プロジェクタ１００は取得した画像ファイルのデコード処理を行い（Ｓ９０２）、ＪＰＥＧ画像データをＲＧＢ信号に変換しメモリ１０１に保持する。デコード処理では、ＪＰＥＧ画像データをＹＵＶ画像データに変換しても構わない。ＲＧＢ信号への変換のみに限定されるものではない、デコード処理は、従来のＪＰＥＧ復号化アルゴリズム手法を用いる。例えば、以下の方法を行うことにより実現可能である。液晶プロジェクタ１００は、ＪＰＥＧ圧縮データをハフマン符号復号にて周波数成分の画像データへ変換し、逆量子化で下げられた全周波数のレベルを元に戻す。次に逆ＤＣＴ変換で画像データの周波数成分を空間成分へ変換し、元の画像データへ復元する。ハフマン符号復号と逆量子化では圧縮処理で使用した量子化テーブルとハフマンテーブルを使用することにより、各々元のデータへ戻すことができる。
【００５６】
次に、液晶プロジェクタ１００は、Ｓ９０２で得られたＲＧＢ画像データのリサイズ処理を行い（Ｓ９０３）、スクリーン１１９に投射するための表示処理を行う（Ｓ９０４）。リサイズ処理では、スクリーン１１９に投射するのに最適な画像サイズへの調整を行う。
【００５７】
以上のように、図７で例示したディレクトリ構造を持つＵＳＢメモリ２００に記録されているディレクトリ名とファイル名を一覧表示し、選択した画像ファイルのサムネイル及び属性情報を表示することでユーザは所望の画像ファイルを選択することができる。
【００５８】
本実施形態では、画像ファイルのみで構成されたディレクトリについて説明したが、他の種類のファイルが混在しても構わない。この場合、あるファイルが一覧表示欄にて選択された場合に、そのファイルが画像ファイルであるか否かの判定を行い、画像ファイルであればサムネイルの表示処理を行い、そうでなければ別の所望の処理を行えば良い。
【００５９】
［全画面表示切替］
次に、上記ファイル操作モードにおいてユーザが所望の画像ファイルを選択した状態で、選択された画像ファイルの全画面表示を行う処理について説明する。
【００６０】
図１０は図８のファイル操作モードから全画面表示モードへ切り替わる際のＵＩ画面を例示している。
【００６１】
図１０において、１０００は図８で説明したファイル操作モードのＵＩ画面であり、１００１は一覧表示欄であり、ＳＬＤ＿０００１．ＪＰＥＧが選択状態で表示されている。１００２は一覧表示欄１００１で選択されているＳＬＤ＿０００１．ＪＰＥＧのサムネイルが表示されている。画面１０００の状態でリモコン４００のＯＫボタン４１１を押下すると選択された画像データをＵＳＢメモリ２００から読み出し、読み出した画像データをデコードし、全画面表示用の画像サイズにリサイズして表示を行う。
【００６２】
１０１０は一覧表示欄１００１で選択されているＳＬＤ＿０００１．ＪＰＥＧの画像が全画面表示された全画面表示モードの画面である。全画面表示状態１０１０でリモコン４００のメニューボタン４１０を押下すると１０１０ａの画面に切り替わる。１０１１ａはメニュー設定ダイアログであり、選択可能なメニューとして“設定”、“ファイル操作モードに戻る”、“キャンセル”の各項目があり、図１０では“ファイル操作モードに戻る”が選択状態で表示されている。画面１０１０ａの状態でリモコン４００のＯＫボタン４１１を押下すると画面１０００のファイル操作モードに戻る。また、不図示であるが、ダイアログ１０１１ａで“キャンセル”が選択され、リモコン４００でＯＫボタン４１１を押下すると全画面表示状態１０１０へ戻る。
【００６３】
［画像データの属性判定］
ファイル操作モードから全画面表示モードへ移行するときに、全画面表示する画像データが文書画像データか写真画像データかの判定を行う。ここでの判定はＪＰＥＧファイルの構造の違いを利用する。
【００６４】
図１１はＪＰＥＧファイルの構造を示している。
【００６５】
ＪＰＥＧファイルは、マーカと呼ばれる識別子を用いてファイルの構成を規定しており、図１１（ａ）における、１１１０はＥｘｉｆ規格のＪＰＥＧファイルの構造であり、１１２０はＪＦＩＦ規格の構造である。図１１（ｂ）に示すＪＦＩＦ規格は基本的なＪＰＥＧ規格であるのに対し、Ｅｘｉｆ規格はデジタルカメラ等で撮影された写真画像データに用いられ、ＴＩＦＦの形式の属性情報を組み込むことで写真固有の属性を持たせることができる。
【００６６】
Ｅｘｉｆ規格にはＡＰＰ１マーカにＥｘｉｆの識別コードがあり、ＪＦＩＦ規格にはＡＰＰ０マーカにＪＦＩＦの識別コードがある。ＣＯＭマーカにはＪＰＥＧファイルを作成するアプリケーション等によって、任意のコメントが挿入可能であり、ものによっては作成したアプリケーションソフトウェアの名前が入る。例えばマイクロソフト社製のＭｉｃｒｏｓｏｆｔ  Ｏｆｆｉｃｅ  ＰｏｗｅｒＰｏｉｎｔ（登録商標）や同Ｗｏｒｄ（登録商標）から変換されたファイルはＳｏｆｔｗａｒｅ：Ｍｉｃｒｏｓｏｆｔ  Ｏｆｆｉｃｅという文字列がＣＯＭのコメント部分に記載される。
【００６７】
図１２は、ファイル操作モードから全画面表示モードへ移行するときに行う画像データの判定処理を示すフローチャートである。
【００６８】
図１２において、液晶プロジェクタ１００は、画像データの取得を行い（Ｓ１２０１）、Ｅｘｉｆ識別コードの検出を行う（Ｓ１２０２）。液晶プロジェクタ１００は、Ｅｘｉｆ識別コードの検出が行えるかを判定する（Ｓ１２０３）。Ｅｘｉｆ識別コードがある場合、写真画像データと判定し、写真画像データであることを示す写真画像識別子をメモリに記録する（Ｓ１２１０）。Ｅｘｉｆ識別コードがない場合、Ｓ１２０１で取得した画像データについて、ＪＦＩＦ識別コードの検出を行う（Ｓ１２２１）。ＪＦＩＦ識別コードがある場合、ＣＯＭマーカを探索する（Ｓ１２２２）。また、ＪＦＩＦ識別コードがない場合、不明な画像データであることを示す不明画像識別子をメモリに記録する（Ｓ１２４０）。
【００６９】
Ｓ１２２２での探索の結果、ＣＯＭマーカが存在する場合（Ｓ１２２３）、コメントを取得し（Ｓ１２２４）、コメントからドキュメント作成アプリケーション名を検出する（Ｓ１２２５）。コメントからドキュメント作成アプリケーション名を検出できた場合（Ｓ１２２６）、文書画像データと判定し、文書画像データであることを示す文書画像識別子をメモリに記録する（Ｓ１２３０）。ＣＯＭマーカは複数記述されることがあるため、ＣＯＭマーカが存在しなくなるまで探索を繰り返す。
【００７０】
具体的には、ドキュメント作成アプリケーションがマイクロソフト社製のＭｉｃｒｏｓｏｆｔ  Ｏｆｆｉｃｅ  ＰｏｗｅｒＰｏｉｎｔ（登録商標）ならば、Ｍｉｃｒｏｓｏｆｔ  Ｏｆｆｉｃｅ  ＰｏｗｅｒＰｏｉｎｔ（登録商標）という文字列を検出する。本実施形態では、液晶プロジェクタ１００は予めアプリケーション名の文字列を保持し、ＣＯＭマーカに含まれる文字列と照合することで、ドキュメント作成アプリケーション名を検出することが可能である。
【００７１】
上記画像データが写真画像データか文書画像データかの判定は、同一の圧縮形式のファイルであっても行うことができる。即ち、本実施形態ではＪＰＥＧファイルのフォーマット規格を利用して写真画像データか文書画像データかの判定を行ったが、他のフォーマット（ＴＩＦＦ等）でも属性の内容を基に同様な判定を行うことができる。また、公知の技術である画像データをメモリ上に展開した後に展開した画像データの特性（周波数変換による周波数成分の状況）を利用することによって文書画像データか写真画像データかの判定を行うことも可能である。
【００７２】
［リモコンキーイベントの割り当て］
図１３は、文書画像データ及び写真画像データに割り当てられるリモコンのキーイベントの関係を例示するテーブルである。
【００７３】
図１３において、１３１０は文書画像データの場合のリモコンのキーイベントの割り当てを示すテーブルであり、１３２０は写真画像データの場合のリモコンのキーイベントの割り当てを示すテーブルである。また、キーイベントは画像処理モード毎に割り当てがあり、画像処理モードはＯＫボタン４１１の操作により切り替えられる。１３１０，１３２０のキーイベントテーブル情報は不揮発メモリに記憶される。
【００７４】
１３１０に示すように、文書画像データの場合は、上方向キーと下方向キーに画像送り及び画像戻りのキーイベントが割り当てられている。また、１３２０に示すように、写真画像データの場合は、右方向キーと左方向キーに画像送り及び画像戻りのキーイベントが割り当てられている。
【００７５】
上記のように画像送り及び戻しのキーイベントを割り当てたのは以下の理由による。まず、文書画像データはそもそもプレゼンテーションソフトなどで用いられていた文章データを変換したものであるが、一般に文章データのページの切り替えはキーボードの上下キーで行われることが多い。したがって、本実施形態における液晶プロジェクタ１００を操作して文書画像データを閲覧する際も、上下キーに画像送り及び戻しのキーイベントを割り当てることにより、ユーザはキーボード操作と同じ感覚で文書画像データを切り替えることが可能になる。
【００７６】
また、写真画像データはもともとカメラなどで撮影した画像データであるが、撮影した画像データをカメラの液晶などで閲覧する場合、ユーザはカメラの左右キーを用いて画像送り、戻しを行うことが多い。したがって、本実施形態における液晶プロジェクタ１００を操作して写真画像データを閲覧する際も、左右キーに画像送り及び戻しのキーイベントを割当てることにより、ユーザはカメラのキー操作と同じ感覚で写真画像データを切り替えることが可能になる。
【００７７】
［キーイベント毎のシーケンス］
図１４は、文書画像データか写真画像データかに応じてリモコンのキーイベントの割り当てを変更する処理を示すフローチャートである。
【００７８】
図１４において、液晶プロジェクタ１００は、図１２のＳ１２１０又はＳ１２３０でメモリに記録した画像識別子を取得する（Ｓ１４０１）。Ｓ１４０１で取得した画像識別子が文書画像識別子である場合（Ｓ１４０２）、図１３の文書画像データ用のキーイベントテーブル１３１０の情報を取得する（Ｓ１４０３）する。写真画像識別子である場合、図１３の写真画像データ用のキーイベントテーブル１３２０の情報を取得する（Ｓ１４０４）。
【００７９】
次に、Ｓ１４０５でキーモードをモード１としてメモリに記録する（Ｓ１４０５）。キーイベントテーブルが決定するとキーイベントが発生するまでＳ１４１０で受信待ちとなる（Ｓ１４１０）。キーイベントを受信したら、受信したキーイベントの情報を取得する（Ｓ１４１１）。キーイベントがＯＫボタン４１１のキーイベントであった場合（Ｓ１４１２）、メモリに記録されているキーモードを取得しキーモードがモード１ならばモード２へ、モード２ならばモード１へ切り替えてメモリに再度記録する（Ｓ１４１３）。その後、Ｓ１４１０のキーイベント受信待ちに戻る。
【００８０】
Ｓ１４１２でＯＫキーのキーイベントでなかった場合には、Ｓ１４１５でメモリに記録されているモードを取得し、Ｓ１４０３又はＳ１４０４で取得したキーイベントテーブルの情報からキーイベントとモードに対応した処理を決定する。
【００８１】
次に、Ｓ１４１５で決定した処理を判定し（Ｓ１４１６）、Ｓ１４２１〜Ｓ１４２５に対応する処理を実行する。
【００８２】
Ｓ１４２１の画像送り処理は現在表示されている画像データの次の画像データを取得し、デコードして全画面表示用にリサイズして表示する。例えば、図１０の一覧表示欄１００１でＳＬＤ＿０００１．ＪＰＥＧファイルが選択され、全画面表示１０１０となっている。ここで、画像送り処理では一覧表示欄１００１におけるＳＬＤ＿０００１．ＪＰＥＧの下にあるＳＬＤ＿０００２．ＪＰＥＧに対して処理が実行される。次の画像データがない場合はディレクトリ内の先頭の画像データファイルに対して処理が実行される。図１０の一覧表示欄１００１であればＳＬＤ＿０００１．ＪＰＥＧに対して処理が実行される。
【００８３】
Ｓ１４２２の画像戻り処理は現在表示されている画像データの前にある画像データを取得し、デコードして全画面表示用にリサイズして表示する。例えば、図１０の一覧表示欄１００１におけるＳＬＤ＿０００２．ＪＰＥＧが全画面表示されていた場合にはＳＬＤ＿０００１．ＪＰＥＧに対して処理が実行される。前の画像データファイルがない場合にはディレクトリ内の最後尾の画像データに対して処理が実行される。
【００８４】
Ｓ１４２３のポインタ操作は液晶プロジェクタで生成した矢印型のポインタを画面に表示しておき、そのポインタの位置を変更する処理を行う。上下左右方向ボタンの各キーイベントに対してポインタの位置を上下左右に移動させる処理を行う。
【００８５】
Ｓ１４２４の画像回転処理は、画像データをデコードしメモリに展開した後に、画像データの位置を所望の角度だけ回転した画像データになるようにメモリに形成し直し、全画面表示のサイズに収まるようにリサイズ処理を行う。また、所望の角度は画像の回転向きである回転角度０度、９０度、１８０度、２７０度の情報をメモリに記録しておき、画像回転(右)であれば、９０度増加させ、画像回転(左)であれば９０度減少させてメモリ上に記録し、前述の画像回転処理を行う。ファイル操作モードから全画面表示モードに移行した場合や画像送りや画像戻りの処理を行った場合には表示された画像データに対する回転角度を０度としてメモリに記録しておく。
【００８６】
Ｓ１４２５の画像拡大縮小処理は、画像データをデコードしメモリに展開した後に、画像データの中心位置から拡大縮小倍率から算出される拡大縮小したときに表示領域に関係する画像データの部分に対して、全画面表示するためのリサイズを行う。拡大縮小倍率はキーイベントが拡大縮小（拡大）に対しては増加し、拡大縮小（縮小）に対しては減少させメモリに記録しておく。ファイル操作モードから全画面表示モードに移行した場合や画像送りや画像戻りの処理を行った場合には表示された画像データに対する拡大縮小倍率を１００％としてメモリに記録しておく。
【００８７】
キーイベントに対応したＳ１４２１〜Ｓ１４２５の各処理が終了すると、Ｓ１４１０でキーイベントの受信待ちに戻る。
【００８８】
本実施形態では、Ｓ１４２１〜Ｓ１４２５の各処理の詳細は既に公知の技術であるので説明は省略している。また、処理の内容はこれに依存することではなく、文書画像データ、写真画像データに対する画像処理であれば他に付け加えても良い。
【００８９】
［文書画像モードの操作と画面］
図１５は、文書画像データに対する全画面表示モードの操作ガイドアイコンを例示している。
【００９０】
図１５において、１５０１ａは文書画像データと判定された画像データが全画面表示され、更に図１４及び図１５で説明したモードがモード１の場合の表示画面である。１５０２ａはリモコンの操作モードが”Ｐｏｉｎｔｉｎｇ Ｍｏｄｅ”であることを示す操作ガイドアイコンである。１５０３ａはリモコン４００のキーモードが”Ｐｏｉｎｔｉｎｇ Ｍｏｄｅ”であるときのみ表示される矢印型のポインティングアイコンである。操作ガイドアイコン１５０２ａはポインティングアイコン１５０３ａをリモコン４００の上下左右の方向ボタンで上下左右に移動できる。１５０１ｂは文書画像データと判定された画像データが全画面表示され、図１４のＳ１４１３でのキーモードの切り替えにより、モードがモード２となったときの表示画面である。１５０２ｂはリモコンの操作モードが”Ｐｏｉｎｔｉｎｇ Ｍｏｄｅ”であることを示す操作ガイドアイコンであり、上方向に対して”Ｐｒｅｖ”の文字が割り当てられ、下方向に対して”Ｎｅｘｔ”の文字が割り当てられている。”Ｐｒｅｖ”と表示された方向ボタンのキーイベントに対して図１４の画像戻り処理（Ｓ１４２２）が実行され、”Ｎｅｘｔ”と表示された方向ボタンのキーイベントに対して図１４の画像送り処理（Ｓ１４２１）が実行される。
【００９１】
［写真画像モードの操作と画面］
図１６は、写真画像データに対する全画面表示モードの操作ガイドアイコンを例示している。
【００９２】
図１６において、１６０１ａは写真画像データと判定された画像データが全画面表示され、更に図１４及び図１５で説明したモードがモード１の場合の表示画面である。１６０２ａはリモコンの操作モードが”Ｒｏｔａｔｅ Ｍｏｄｅ”であることを示す操作ガイドアイコンであり、上方向には”Ｒ Ｔｕｒｎ”、下方向には”Ｌ ｔｕｒｎ”、左方向には”Ｐｒｅｖ”、右方向には”Ｎｅｘｔ”の各文字が割り当てられている。”Ｒ Ｔｕｒｎ”と表示された方向ボタンのキーイベントに対して図１４の画像回転処理（Ｓ１４２４）の右回転処理が実行される。また、”Ｌ Ｔｕｒｎ”と表示された方向ボタンのキーイベントに対して図１４の画像回転処理（Ｓ１４２４）の左回転処理が実行される。更に、”Ｐｒｅｖ”と表示された方向ボタンのキーイベントに対して図１４の画像戻り処理（Ｓ１４２２）が実行され、”Ｎｅｘｔ”と表示された方向ボタンのキーイベントに対して図１４の画像送り処理（Ｓ１４２１）が実行される。
【００９３】
１６０１ｂは写真画像データと判定された画像データが全画面表示され、図１４で説明したキーモードの切り替え（Ｓ１４１３）により、モードがモード２となったときの表示画面である。１６０２ｂはリモコンの操作モードが”Ｚｏｏｍ Ｍｏｄｅ”であることを示す操作ガイドアイコンであり、上方向には”Ｉｎ”、下方向には”Ｏｕｔ”、左方向には”Ｐｒｅｖ”、右方向には”Ｎｅｘｔ”の各文字が割り当てられている。”Ｉｎ”と表示された方向ボタンのキーイベントに対して図１４の画像拡大縮小処理（Ｓ１４２５）の拡大処理が実行される。また、”Ｏｕｔ”と表示された方向ボタンのキーイベントに対して図１４の画像拡大縮小処理（Ｓ１４２５）の縮小処理が実行される。更に、”Ｐｒｅｖ”と表示された方向ボタンのキーイベントに対して図１４の画像戻り処理（Ｓ１４２２）が実行され、”Ｎｅｘｔ”と表示された方向ボタンのキーイベントに対して図１４の画像送り処理（Ｓ１４２１）が実行される。
【００９４】
図１５及び図１６では操作ガイドアイコンについて説明したが、操作ガイドアイコンは一定時間だけ表示してそれ以降はキーイベントが発生するまで表示しないようにしても良い。
【００９５】
上記実施形態によれば、ファイル操作モードから全画面表示モードに移行するときに文書画像データか写真画像データかの判定を行い、それぞれの判定結果に応じたキーイベントテーブルを決定する。これにより、画像データの種類に応じた処理をリモコンのボタンに割り当てることができる。また、割り当てた処理がユーザに分かるように操作ガイドを表示することによって、ユーザは割り当てられた処理をスクリーン上で確認しながらボタン操作ができるようになる。
【００９６】
なお、本実施形態では、左右キーに対し文書画像データに対するキーイベントを割り当てなかったが、左右キーにも写真画像データと同様、画像送り、戻しを割り当ててもよい。このようにすることで、どのような画像データでも左右キーで画像送り、戻しが可能になるため、操作を統一して使用したいユーザの利便性が向上する。
【００９７】
なお、本実施形態では、文書画像データか写真画像データかの判定結果に応じて自動的にボタン操作の割り当てを行ったが、ユーザが手動で割り当てできるような機能を付加しても構わない。
【００９８】
［他の実施形態］
本発明はプロジェクタを例として説明したが、他の画像再生装置、例えばテレビなどに適用することも可能である。
【００９９】
本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（ＣＰＵやＭＰＵ）が記憶媒体に格納されたプログラムコードを読み出し実行することによっても、達成されることは言うまでもない。
【０１００】
この場合、記憶媒体から読み出されたプログラムコード自体が前述した実施形態の機能を実現することになり、そのプログラムコードを記憶した記憶媒体は本発明を構成することになる。
【０１０１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭ等を用いることができる。また、コンピュータが読み出したプログラムコードを実行することにより、前述した実施形態の機能が実現される場合もある。
【０１０２】
しかし、さらにプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【０１０３】
さらに、記憶媒体から読み出されたプログラムコードが、コンピュータに挿入された機能拡張ボードやコンピュータに接続された機能拡張ユニットに備わるメモリに書き込まれる場合も有得る。その後、プログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【０１０４】
【図１】本発明に係る実施形態の画像再生装置の構成を示す図である。
【図２】本発明に係る実施形態の液晶プロジェクタの構成を示すブロック図である。
【図３】本発明に係る実施形態のリモコンの構成を示すブロック図である。
【図４】本発明に係る実施形態のリモコンの外観図である。
【図５】本発明に係る実施形態の液晶プロジェクタにＵＳＢメモリを接続した際の動作を示すフローチャートである。
【図６】本発明に係る実施形態における液晶プロジェクタの動作を示すフローチャートである。
【図７】本発明に係る実施形態のディレクトリ構成を示す図である。
【図８】本発明に係る実施形態のＵＩ画面の遷移を示す図である。
【図９】本発明に係る実施形態における液晶プロジェクタの動作を示すフローチャートである。
【図１０】図８のファイル操作モードから全画面表示モードへ切り替わる際のＵＩ画面を示す図である。
【図１１】ＪＰＥＧファイルの構造を示す図である。
【図１２】本発明に係る実施形態における液晶プロジェクタの動作を示すフローチャートである。
【図１３】文書画像データ及び写真画像データに割り当てられるリモコンのキーイベントの関係を示すテーブルを示す図である。
【図１４】本発明に係る実施形態における液晶プロジェクタの動作を示すフローチャートである。
【図１５】文書画像データに対する全画面表示モードの操作ガイドアイコンを示す図である。
【図１６】写真画像データに対する全画面表示モードの操作ガイドアイコンを示す図である。
【符号の説明】
【０１０５】
１００  液晶プロジェクタ
１０１  メモリ
１０２  不揮発性メモリ
１０３  操作部
１０４  電源制御部
１０５  電源部
１０６  ＵＳＢ Ｉ／Ｆ
１０８  画像処理回路
１０９  システム制御回路
１１０  フレームメモリ
１１１  プロジェクタ映像信号処理回路
１１２  信号レベル調整回路
１１３  液晶ドライバ
１１５  ランプ駆動回路（バラスト）
１１６  ランプ
１１７  液晶パネル
１１８  投射レンズ
１１９  スクリーン
１２０  リモコン受光部
２００  ＵＳＢメモリ
４００  リモコン
【図１】
0005173584.tif 000002
【図２】
0005173584.tif 000003
【図３】
0005173584.tif 000004
【図４】
0005173584.tif 000005
【図５】
0005173584.tif 000006
【図６】
0005173584.tif 000007
【図７】
0005173584.tif 000008
【図８】
0005173584.tif 000009
【図９】
0005173584.tif 000010
【図１０】
0005173584.tif 000011
【図１１】
0005173584.tif 000012
【図１２】
0005173584.tif 000013
【図１３】
0005173584.tif 000014
【図１４】
0005173584.tif 000015
【図１５】
0005173584.tif 000016
【図１６】
0005173584.tif 000017